【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
光学記録ユニット（１１）と、演算ユニット（１２）とを有する装置（１０）により、人体の生体パラメータを判定する方法において、
前記光学記録ユニット（１１）により、前記人体の皮膚（３０）の限られた領域の個々の画像データのシーケンスを記録するステップと、
前記演算ユニット（１２）により、脈波伝播時間を判定するステップを含む前記画像データを評価するステップと、
前記演算ユニット（１２）により、前記画像データから前記人体の１つ以上の生体パラメータを判定するステップと、
を有することを特徴とする方法。
【請求項２】
前記脈波伝播時間が、
前記個々の画像データ（２０）において反映されている前記皮膚（３０）の領域をタイル（２１）にサブ分割するステップと、
前記個々の画像データ（２０）の前記タイル（２１）のそれぞれにおいて、色、輝度、及び／又は容積を判定するステップと、
前記シーケンスの前記連続的な画像データ（２０）において、前記タイル（２１）の前記色、輝度、及び／又は容積を比較するステップと、
前記画像データ（２０）のシーケンスに従って、それぞれのタイル（２１）の前記色、輝度、及び／又は容積の変更プロファイルを判定するステップであって、前記変更プロファイルは、前記皮膚（３０）の領域を通じて伝播する脈波を反映している、ステップと、
前記変更プロファイルから前記脈波伝播時間を演算するステップと、
において判定されることを特徴とする請求項１に記載の方法。
【請求項３】
少なくとも１つの生体測定特徴が前記画像データ（２０）内において認識され、前記少なくとも１つの生体測定特徴との関係における前記タイル（２１）の位置は、前記画像データのシーケンス内において等価であることを特徴とする請求項２に記載の方法。
【請求項４】
前記記録ユニット（１１）により、立体画像データが記録されることを特徴とする請求項１から３のいずれか一項に記載の方法。
【請求項５】
前記個々の画像データのシーケンスを記録するべく、前記皮膚（３０）の領域が、照明ユニット（１４）によって露光されることを特徴とする請求項１から４のいずれか一項に記載の方法。
【請求項６】
前記個々の画像データ（２０）のシーケンスが、前記皮膚（３０）の領域から所定の間隔において前記記録ユニット（１１）によって記録されることを特徴とする請求項１から５のいずれか一項に記載の方法。
【請求項７】
前記個々の画像データ（２０）のシーケンスが、前記皮膚（３０）の領域と直接的な接触状態にある前記記録ユニット（１１）によって記録されることを特徴とする請求項１から５のいずれか一項に記載の方法。
【請求項８】
前記個々の画像データ（２０）のシーケンスが、前記皮膚の領域との接触状態にある圧力印加媒体（１７）を介して前記記録ユニット（１１）によって記録されることを特徴とする請求項１から７のいずれか一項に記載の方法。
【請求項９】
前記人体の運動データが少なくとも１つの加速度センサ（１６）によって記録されることを特徴とする請求項１から８のいずれか一項に記載の方法。
【請求項１０】
音声データが、マイクロフォン（１５）によって記録され、且つ、前記個々の画像データ（２０）のシーケンスに割り当てられることを特徴とする請求項１から９のいずれか一項に記載の方法。
【請求項１１】
前記記録された画像データ、加速度データ、及び音声データが、タイムスタンプによってマーキングされ、且つ、長期にわたる評価のために前記装置のメモリユニット（１３）上において前記タイムスタンプと共に保存されることを特徴とする請求項１から１０のいずれか一項に記載の方法。
【請求項１２】
前記生体パラメータの判定が、人体の血圧及び／又は脈拍の判定を含むことを特徴とする請求項１から１１のいずれか一項に記載の方法。
【請求項１３】
前記生体パラメータの判定が、人体の血液の酸素飽和度の判定を含むことを特徴とする請求項１から１２のいずれか一項に記載の方法。
【請求項１４】
前記生体パラメータの判定が、脈波可変性の判定を含むことを特徴とする請求項１から１３のいずれか一項に記載の方法。
【請求項１５】
前記生体パラメータの判定が、血糖値の判定を含むことを特徴とする請求項１から１４のいずれか一項に記載の方法。
【請求項１６】
前記生体パラメータの判定が、呼吸レートの判定を含むことを特徴とする請求項１から１５のいずれか一項に記載の方法。
【請求項１７】
画像を記録するための前記皮膚（３０）の限られた領域が、人体の顔面、額、手、指、掌、足首、又はそ径の領域内に位置していることを特徴とする請求項１から１５のいずれか一項に記載の方法。
【請求項１８】
人体の生体パラメータを判定する装置（１０）において、少なくとも、
人体の皮膚（３０）の限られた領域の個々の画像データ（２０）のシーケンスを記録するのに適した光学記録ユニット（１１）と、
脈波伝播時間の判定を含む前記画像データの評価のためにセットアップされると共に前記画像データからの人体の１つ以上の生体パラメータの判定のためにセットアップされた演算ユニット（１２）と、
を有することを特徴とする装置。
【請求項１９】
前記記録ユニット（１１）が、立体画像データを記録する三次元記録ユニットとして構成されていることを特徴とする請求項１８に記載の装置（１０）。
【請求項２０】
前記装置（１０）が、前記皮膚（３０）の領域を露光させる照明ユニット（１４）を有することを特徴とする請求項１８又は１９に記載の装置（１０）。
【請求項２１】
前記記録ユニット（１１）が、前記皮膚（３０）の領域に接触する圧力印加媒体（１７）を有することを特徴とする請求項１８から２０のいずれか一項に記載の装置（１０）。
【請求項２２】
前記圧力印加媒体（１７）が、透明媒体として構成されていることを特徴とする請求項２１に記載の装置（１０）。
【請求項２３】
前記圧力印加媒体（１７）が、中央開口部を有するリング形状の媒体として構成されていることを特徴とする請求項２１に記載の装置（１０）。
【請求項２４】
音声データを記録するべく、マイクロフォン（１５）が設けられていることを特徴とする請求項１８から２２のいずれか一項に記載の装置（１０）。
【請求項２５】
運動データを記録するべく、モーションセンサ（１６）が設けられていることを特徴とする請求項１８から２４のいずれか一項に記載の装置（１０）。
【請求項２６】
画像データ、音声データ、及び／又は運動データを保存するべく、メモリユニット（１３）が設けられていることを特徴とする請求項１８から２４のいずれか一項に記載の装置（１０）。
【請求項２７】
少なくとも１つの光学記録ユニット（１１）と、１つの演算ユニット（１２）と、メモリユニット（１３）とを有する装置（１０）によって人物を認証する方法において、
前記光学記録ユニット（１１）により、人体の皮膚（３０）の領域の個々の画像データのシーケンスを記録するステップと、
前記演算ユニット（１２）により、脈波伝播時間の認識ステップを有する前記画像データを評価するステップと、
前記演算ユニット（１２）により、前記画像データを前記メモリユニット（１３）上に保存されているプロファイルと比較するステップと、
前記演算ユニット（１２）により、画像データが保存されているプロファイルと整合している場合に、認証を発行するステップと、
を有することを特徴とする方法。
【請求項２８】
少なくとも１つの光学記録ユニット（１１）と、演算ユニット（１２）と、メモリユニット（１３）とを有する装置により、人物の反応を識別する方法において、
前記光学記録ユニット（１１）により、人体の皮膚（３０）の領域の個々の画像データのシーケンスを記録するステップと、
前記演算ユニット（１２）により、脈波伝播時間の認識ステップを含む前記画像データを評価するステップと、
前記演算ユニット（１２）により、前記画像データを前記メモリユニット（１３）上に保存されている反応パターンと比較するステップと、
前記演算ユニット（１２）により、画像データが保存されている反応パターンと整合している場合に、反応を発行するステップと、
を有することを特徴とする方法。